(57)【特許請求の範囲】
【請求項１】
画面が表示される表示手段と、
基準解像度に合わせたサイズで作成された画面構成用の基準画像を保持する基準画像保持手段と、
前記表示手段の解像度が前記基準解像度と一致しているかどうかを判定する解像度判定手段と、
前記解像度判定手段により、前記表示手段の解像度が基準解像度と一致していないと判定された場合、前記基準画像保持手段に保持されている基準画像を、前記表示手段の解像度に合わせたサイズに速度を優先して拡張または縮小することにより第１画像を作成するとともに、前記基準画像を前記表示手段の解像度に合わせたサイズに画質を優先して拡張または縮小することにより、前記第１画像よりも高画質の第２画像を作成する画像作成手段と、
前記画像作成手段により作成された前記第２画像を記憶する第２画像記憶手段と、
前記解像度判定手段により、前記表示手段の解像度が基準解像度と一致していないと判定された場合、画面の最初の表示に際しては、前記画像作成手段により作成された前記第１画像を前記表示手段に表示するとともに、前記画像作成手段による第２画像の作成後は、前記第１画像に代えて前記第２画像記憶手段に記憶された前記第２画像を表示手段に表示し、画面の遷移時には前記第２画像記憶手段に前記第２画像が記憶されている場合は該第２画像を前記表示手段に表示する表示制御手段と、
前記第２画像記憶手段への第２画像の記憶が必要な画面かどうかが画面に応じて予め規定された判定基準に従って、前記表示手段に表示される画面が前記第２画像記憶手段への第２画像の記憶が必要な画面かどうかを判定する画面判定手段と、
を備え、
前記画像作成手段は、前記画面判定手段により第２画像の記憶が必要な画面であると判定された場合に限って前記第２画像を作成し、前記第２画像記憶手段に記憶させることを特徴とする表示装置。
【請求項２】
前記判定基準には、第２画像の記憶が不要な画面として、警告画面、サムネイル画像を含む画面、プレビュー画像を含む画面の少なくともいずれかが規定されており、第２画像の記憶が不要な画面として規定された画面を除く画面については、前記画面判定手段は第２画像の記憶が必要な画面であると判定する請求項１に記載の表示装置。
【請求項３】
前記解像度判定手段は、表示装置の起動時に、前記表示手段の解像度を取得するとともに、取得した表示手段の解像度と前記基準解像度を比較することにより、表示手段の解像度が基準解像度と一致しているかどうかを判定する請求項１または２に記載の表示装置。
【請求項４】
前記基準画像、第１画像及び第２画像は、ボタン画像、アイコン画像、背景画像、サムネイル画像、プレビュー画像のうちの少なくともいずれかを含む画像である請求項１〜３のいずれかに記載の表示装置。
【請求項５】
前記画像作成手段は、画面遷移の前に次に遷移する画面に対応する前記第２画像を作成しておく請求項１〜４のいずれかに記載の表示装置。
【請求項６】
前記第２画像記憶手段には、前記第２画像で構成される画面の画面情報として、「画面の種類」、「その画面での設定変更の有無」、「現在表示中の画面を表示するために遷移してきた画面であるかまたは設定変更後に遷移する画面かどうか」が登録される請求項１〜５のいずれかに記載の表示装置。
【請求項７】
前記第２画像記憶手段に、新たに作成された第２画像を記憶可能な空き容量がない場合、設定値がデフォルト値から変更されていない設定画面及び該設定画面に遷移するために必要な画面から削除する請求項１〜６のいずれかに記載の表示装置。
【請求項８】
画面が表示される表示手段と、基準解像度に合わせたサイズで作成された画面構成用の基準画像を保持する基準画像保持手段と、を備えた表示装置が、
前記表示手段の解像度が前記基準解像度と一致しているかどうかを判定する解像度判定ステップと、
前記解像度判定ステップにより、前記表示手段の解像度が基準解像度と一致していないと判定された場合、前記基準画像保持手段に保持されている基準画像を、前記表示手段の解像度に合わせたサイズに速度を優先して拡張または縮小することにより第１画像を作成するとともに、前記基準画像を前記表示手段の解像度に合わせたサイズに画質を優先して拡張または縮小することにより、前記第１画像よりも高画質の第２画像を作成する画像作成ステップと、
前記画像作成ステップにより作成された前記第２画像を第２画像記憶手段に記憶させるステップと、
前記解像度判定ステップにより、前記表示手段の解像度が基準解像度と一致していないと判定された場合、画面の最初の表示に際しては、前記画像作成ステップにより作成された前記第１画像を前記表示手段に表示するとともに、前記画像作成ステップによる第２画像の作成後は、前記第１画像に代えて前記第２画像記憶手段に記憶された前記第２画像を表示手段に表示し、画面の遷移時には前記第２画像記憶手段に前記第２画像が記憶されている場合は該第２画像を前記表示手段に表示する表示制御ステップと、
前記第２画像記憶手段への第２画像の記憶が必要な画面かどうかが画面に応じて予め規定された判定基準に従って、前記表示手段に表示される画面が前記第２画像記憶手段への第２画像の記憶が必要な画面かどうかを判定する画面判定ステップと、
を実行し、
前記画像作成ステップでは、前記画面判定ステップにより第２画像の記憶が必要な画面であると判定された場合に限って前記第２画像を作成し、前記第２画像記憶手段に記憶させる処理を実行することを特徴とする画面表示方法。
【請求項９】
画面が表示される表示手段と、基準解像度に合わせたサイズで作成された画面構成用の基準画像を保持する基準画像保持手段と、を備えた表示装置のコンピュータに、
前記表示手段の解像度が前記基準解像度と一致しているかどうかを判定する解像度判定ステップと、
前記解像度判定ステップにより、前記表示手段の解像度が基準解像度と一致していないと判定された場合、前記基準画像保持手段に保持されている基準画像を、前記表示手段の解像度に合わせたサイズに速度を優先して拡張または縮小することにより第１画像を作成するとともに、前記基準画像を前記表示手段の解像度に合わせたサイズに画質を優先して拡張または縮小することにより、前記第１画像よりも高画質の第２画像を作成する画像作成ステップと、
前記画像作成ステップにより作成された前記第２画像を第２画像記憶手段に記憶させるステップと、
前記解像度判定ステップにより、前記表示手段の解像度が基準解像度と一致していないと判定された場合、画面の最初の表示に際しては、前記画像作成ステップにより作成された前記第１画像を前記表示手段に表示するとともに、前記画像作成ステップによる第２画像の作成後は、前記第１画像に代えて前記第２画像記憶手段に記憶された前記第２画像を表示手段に表示し、画面の遷移時には前記第２画像記憶手段に前記第２画像が記憶されている場合は該第２画像を前記表示手段に表示する表示制御ステップと、
前記第２画像記憶手段への第２画像の記憶が必要な画面かどうかが画面に応じて予め規定された判定基準に従って、前記表示手段に表示される画面が前記第２画像記憶手段への第２画像の記憶が必要な画面かどうかを判定する画面判定ステップと、
を実行させ、
前記画像作成ステップでは、前記画面判定ステップにより第２画像の記憶が必要な画面であると判定された場合に限って前記第２画像を作成し、前記第２画像記憶手段に記憶させる処理を実行させるための画面表示プログラム。
【請求項１０】
請求項１〜７のいずれかに記載の表示装置を備えたことを特徴とする画像処理装置。
【発明の詳細な説明】
【技術分野】
【０００１】
この発明は、例えば、コピー機能、プリンタ機能、ファクシミリ機能、スキャン機能等の複数の機能を有する多機能デジタル画像形成装置であるＭＦＰ（Multi Function Peripheral）の操作パネル等に用いられる表示装置、同装置における画面表示方法、画面表示プログラム及び画像処理装置に関する。
【背景技術】
【０００２】
例えば、上述のＭＦＰでは、ユーザーの使用用途に合わせて搭載される操作パネルの表示部の大きさ（解像度）、機能、印刷速度が異なる種々の製品が存在し、特に規模の大きい会社等においては、部署の人数や使い方に合わせて様々な画像処理装置が導入されている。
【０００３】
そのような環境において、それぞれの製品の操作性が異なると、ユーザーは製品毎に使い方を覚える必要があり、非常に煩わしい。
【０００４】
そこで、解像度の異なる表示部を備えた複数の画像処理装置の操作を共通のファームウェアで実現するため、１つの解像度を基準にした画面構成用の基準画像をファームウェアに用意しておき、この基準画像を表示部の解像度に合わせて拡大もしくは縮小して表示することが行われている。
【０００５】
しかし、この方法では基準解像度とは異なる解像度の表示部に画面を表示するために、基準画像を拡大もしくは縮小する処理が必要となり、その分画面が表示部に表示されるまでに時間がかかってしまう。画面表示までの時間が長くなると操作性が悪化する。一方、画面表示までの時間を短縮するため、基準画像の拡大もしくは縮小処理を高速で行うと、表示画面の画質が悪くなりやはり操作性が悪くなる。
【０００６】
このような課題を解決するため、特許文献１には、初回のアプリケーションの起動時には高速で拡大もしくは縮小処理を行い低画質の画像を作成して表示し、その後に高画質の画像を作成してキャッシュメモリに保存しておき、次回のアプリケーション起動時にはキャッシュメモリに保存していた高画質の画像を表示手段に表示することで、高画質の画像を表示までの時間を短縮して表示する技術が開示されている。
【０００７】
しかし、この技術を表示部に多数の設定画面が遷移して表示される画像処理装置に適用すると、キャッシュメモリに保存される画像も多くなることからキャッシュメモリの容量を大きくする必要があるが、メモリ容量が大きくなるとコストがかかるという問題がある。
【０００８】
このような問題に対し、特許文献２には、キャッシュメモリに保存する画像を減少させてキャッシュメモリの容量を抑制する技術が開示されている。具体的には、画像をキャッシュメモリに保存する際に、空き容量がなければ、既にキャッシュメモリに保存されている画像の中から、表示対象の画像に遷移させるまでの操作ステップ数が多い画像、あるいは操作ステップ数が固定数以上の画像を削除して保存するというものである。
【先行技術文献】
【特許文献】
【０００９】
【特許文献１】特開２００３−２５６８２７号公報
【特許文献２】特開２０１５−１１６０５号公報
【発明の概要】
【発明が解決しようとする課題】
【００１０】
しかしながら、特許文献２に記載のように、操作ステップ数を基準にしてキャッシュメモリから削除する画像を決定するのでは、次のような問題があった。
【００１１】
即ち、画像処理装置ではジョブを実行するために多くの設定を画面遷移しながら行っていく必要がある。例えば機密情報の漏洩に繋がる送信宛先の設定ミスや、印刷用紙が無駄になる設定ミス等を避けるため、設定した値を再確認したり再設定することがある。そのため、特許文献２のように単純に操作ステップ数の多い画像から削除すると、その画像を再度表示する必要性が高い場合であっても機械的に削除されることになり、高画質の画像を作成し直す必要が生じるという問題があった。
【００１２】
また、画面によってはキャッシュメモリに画像を保存する必要のない画面がある。例えば、同じ階層構造に属さず、どの画面からでも表示される可能性がある警告画面は、表示されることは稀であるため、この画面の画像がキャッシュメモリに保存されることは効果的ではない。更には、画像処理装置には、印刷前に原稿を読み込んで仕上がり状態を確認するプレビュー表示画面や、保存されているスキャン画像のイメージを確認するサムネイル表示画面が存在する。これらの画面は画面の表示解像度の制約上、印刷後と全く同じイメージにはならないため、高解像度画像で表示する必要性は高くなく、これらの画面の画像がキャッシュメモリに保存されることはやはり効果的ではない。
【００１３】
しかしながら、特許文献１及び２の技術では、このようなキャッシュメモリに画像を保存する必要のない画面であっても、高画質の画像が作成されキャッシュメモリに保存されていたため、キャッシュメモリの容量が無駄に圧迫されるという問題があった。
【００１４】
この発明は、このような技術的背景に鑑みてなされたものであって、表示手段の解像度が基準解像度と異なる場合に、基準解像度に合わせたサイズで作成された画面構成用の基準画像を用いた高画質の画像作成及び作成した画像の記憶手段への記憶を、必要な場合にのみ行うことにより、既に保存されている使用可能性の高い画像が記憶手段から機械的に削除される危険性を低減することができる表示装置、この表示装置を備えた画像処理装置、画面表示方法及び画面表示プログラムを提供することを課題とする。
【課題を解決するための手段】
【００１５】
上記課題は、以下の手段によって解決される。
（１）画面が表示される表示手段と、基準解像度に合わせたサイズで作成された画面構成用の基準画像を保持する基準画像保持手段と、前記表示手段の解像度が前記基準解像度と一致しているかどうかを判定する解像度判定手段と、前記解像度判定手段により、前記表示手段の解像度が基準解像度と一致していないと判定された場合、前記基準画像保持手段に保持されている基準画像を、前記表示手段の解像度に合わせたサイズに速度を優先して拡張または縮小することにより第１画像を作成するとともに、前記基準画像を前記表示手段の解像度に合わせたサイズに画質を優先して拡張または縮小することにより、前記第１画像よりも高画質の第２画像を作成する画像作成手段と、前記画像作成手段により作成された前記第２画像を記憶する第２画像記憶手段と、前記解像度判定手段により、前記表示手段の解像度が基準解像度と一致していないと判定された場合、画面の最初の表示に際しては、前記画像作成手段により作成された前記第１画像を前記表示手段に表示するとともに、前記画像作成手段による第２画像の作成後は、前記第１画像に代えて前記第２画像記憶手段に記憶された前記第２画像を表示手段に表示し、画面の遷移時には前記第２画像記憶手段に前記第２画像が記憶されている場合は該第２画像を前記表示手段に表示する表示制御手段と、前記第２画像記憶手段への第２画像の記憶が必要な画面かどうかが画面に応じて予め規定された判定基準に従って、前記表示手段に表示される画面が前記第２画像記憶手段への第２画像の記憶が必要な画面かどうかを判定する画面判定手段と、を備え、前記画像作成手段は、前記画面判定手段により第２画像の記憶が必要な画面であると判定された場合に限って前記第２画像を作成し、前記第２画像記憶手段に記憶させることを特徴とする表示装置。
（２）前記判定基準には、第２画像の記憶が不要な画面として、警告画面、サムネイル画像を含む画面、プレビュー画像を含む画面の少なくともいずれかが規定されており、第２画像の記憶が不要な画面として規定された画面を除く画面については、前記画面判定手段は第２画像の記憶が必要な画面であると判定する前項１に記載の表示装置。
（３）前記解像度判定手段は、表示装置の起動時に、前記表示手段の解像度を取得するとともに、取得した表示手段の解像度と前記基準解像度を比較することにより、表示手段の解像度が基準解像度と一致しているかどうかを判定する前項１または２に記載の表示装置。
（４）前記基準画像、第１画像及び第２画像は、ボタン画像、アイコン画像、背景画像、サムネイル画像、プレビュー画像のうちの少なくともいずれかを含む画像である前項１〜３のいずれかに記載の表示装置。
（５）前記画像作成手段は、画面遷移の前に次に遷移する画面に対応する前記第２画像を作成しておく前項１〜４のいずれかに記載の表示装置。
（６）前記第２画像記憶手段には、前記第２画像で構成される画面の画面情報として、「画面の種類」、「その画面での設定変更の有無」、「現在表示中の画面を表示するために遷移してきた画面であるかまたは設定変更後に遷移する画面かどうか」が登録される前項１〜５のいずれかに記載の表示装置。
（７）前記第２画像記憶手段に、新たに作成された第２画像を記憶可能な空き容量がない場合、設定値がデフォルト値から変更されていない設定画面及び該設定画面に遷移するために必要な画面から削除する前項１〜６のいずれかに記載の表示装置。
（８）画面が表示される表示手段と、基準解像度に合わせたサイズで作成された画面構成用の基準画像を保持する基準画像保持手段と、を備えた表示装置が、前記表示手段の解像度が前記基準解像度と一致しているかどうかを判定する解像度判定ステップと、前記解像度判定ステップにより、前記表示手段の解像度が基準解像度と一致していないと判定された場合、前記基準画像保持手段に保持されている基準画像を、前記表示手段の解像度に合わせたサイズに速度を優先して拡張または縮小することにより第１画像を作成するとともに、前記基準画像を前記表示手段の解像度に合わせたサイズに画質を優先して拡張または縮小することにより、前記第１画像よりも高画質の第２画像を作成する画像作成ステップと、前記画像作成ステップにより作成された前記第２画像を第２画像記憶手段に記憶させるステップと、前記解像度判定ステップにより、前記表示手段の解像度が基準解像度と一致していないと判定された場合、画面の最初の表示に際しては、前記画像作成ステップにより作成された前記第１画像を前記表示手段に表示するとともに、前記画像作成ステップによる第２画像の作成後は、前記第１画像に代えて前記第２画像記憶手段に記憶された前記第２画像を表示手段に表示し、画面の遷移時には前記第２画像記憶手段に前記第２画像が記憶されている場合は該第２画像を前記表示手段に表示する表示制御ステップと、前記第２画像記憶手段への第２画像の記憶が必要な画面かどうかが画面に応じて予め規定された判定基準に従って、前記表示手段に表示される画面が前記第２画像記憶手段への第２画像の記憶が必要な画面かどうかを判定する画面判定ステップと、を実行し、前記画像作成ステップでは、前記画面判定ステップにより第２画像の記憶が必要な画面であると判定された場合に限って前記第２画像を作成し、前記第２画像記憶手段に記憶させる処理を実行することを特徴とする画面表示方法。
（９）画面が表示される表示手段と、基準解像度に合わせたサイズで作成された画面構成用の基準画像を保持する基準画像保持手段と、を備えた表示装置のコンピュータに、前記表示手段の解像度が前記基準解像度と一致しているかどうかを判定する解像度判定ステップと、前記解像度判定ステップにより、前記表示手段の解像度が基準解像度と一致していないと判定された場合、前記基準画像保持手段に保持されている基準画像を、前記表示手段の解像度に合わせたサイズに速度を優先して拡張または縮小することにより第１画像を作成するとともに、前記基準画像を前記表示手段の解像度に合わせたサイズに画質を優先して拡張または縮小することにより、前記第１画像よりも高画質の第２画像を作成する画像作成ステップと、前記画像作成ステップにより作成された前記第２画像を第２画像記憶手段に記憶させるステップと、前記解像度判定ステップにより、前記表示手段の解像度が基準解像度と一致していないと判定された場合、画面の最初の表示に際しては、前記画像作成ステップにより作成された前記第１画像を前記表示手段に表示するとともに、前記画像作成ステップによる第２画像の作成後は、前記第１画像に代えて前記第２画像記憶手段に記憶された前記第２画像を表示手段に表示し、画面の遷移時には前記第２画像記憶手段に前記第２画像が記憶されている場合は該第２画像を前記表示手段に表示する表示制御ステップと、前記第２画像記憶手段への第２画像の記憶が必要な画面かどうかが画面に応じて予め規定された判定基準に従って、前記表示手段に表示される画面が前記第２画像記憶手段への第２画像の記憶が必要な画面かどうかを判定する画面判定ステップと、を実行させ、前記画像作成ステップでは、前記画面判定ステップにより第２画像の記憶が必要な画面であると判定された場合に限って前記第２画像を作成し、前記第２画像記憶手段に記憶させる処理を実行させるための画面表示プログラム。
（１０）前項１〜７のいずれかに記載の表示装置を備えたことを特徴とする画像処理装置。
【発明の効果】
【００１６】
前項（１）に記載の発明によれば、表示手段の解像度が基準解像度と一致しているかどうかが判定され、一致していないと判定された場合、基準画像を表示手段の解像度に合わせたサイズに速度優先で拡張または縮小して第１画像が作成されるとともに、基準画像を表示手段の解像度に合わせたサイズに画質優先で拡張または縮小して、第１画像よりも高画質の第２画像が作成される。作成された第２画像は第２画像記憶手段に記憶される。表示手段の解像度が基準解像度と一致していないと判定された場合、画面の最初の表示に際しては、作成された第１画像が表示手段に表示され、第２画像の作成後は、第１画像に代えて第２画像記憶手段に記憶された第２画像が表示手段に表示され、画面の遷移時には第２画像記憶手段に第２画像が記憶されている場合は該第２画像が表示される。
【００１７】
一方、第２画像記憶手段への第２画像の記憶が必要な画面かどうかが画面に応じて予め規定された判定基準が設けられ、該判定基準に従って、表示手段に表示される画面が第２画像記憶手段への第２画像の記憶が必要な画面かどうかが判定される。そして、第２画像の記憶が必要な画面であると判定された場合に限って第２画像が作成され、第２画像記憶手段に記憶される。
【００１８】
従って、第２画像の記憶が必要な画面でないと判定された場合は、第２画像の作成及び第２画像記憶手段への記憶は行われないから、表示必要性の乏しい画面の第２画像が記憶されることによる第２画像記憶手段の容量圧迫により、表示必要性の高い画面の第２画像が記憶手段から機械的に削除される機会を低減することができる。
【００１９】
前項（２）に記載の発明によれば、第２画像の記憶が不要な画面として、警告画面、サムネイル画像を含む画面、プレビュー画像を含む画面の少なくともいずれかが規定されているから、これらの画面の画像が第２画像記憶手段へ記憶されるのを確実に防止することができる。
【００２０】
前項（３）に記載の発明によれば、表示装置の起動時に、表示手段の解像度が取得され基準解像度と比較されることにより、表示手段の解像度が基準解像度と一致しているかどうかが判定される。
【００２１】
前項（４）に記載の発明によれば、基準画像、第１画像及び第２画像には、ボタン画像、アイコン画像、背景画像、サムネイル画像、プレビュー画像のうちの少なくともいずれかが含まれる。
【００２２】
前項（５）に記載の発明によれば、画面遷移の前に次に遷移する画面に対応する第２画像が作成されるから、次の画面への遷移時には、この第２画像を短時間で表示することができる。
【００２３】
前項（６）に記載の発明によれば、第２画像で構成される画面の画面情報として、「画面の種類」、「その画面での設定変更の有無」、「現在表示中の画面を表示するために遷移してきた画面であるかまたは設定変更後に遷移する画面かどうか」が登録されるから、第２画像で構成される画面の属性を把握することができる。
【００２４】
前項（７）に記載の発明によれば、第２画像記憶手段に新たに作成された第２画像を記憶可能な空き容量がない場合、設定値がデフォルト値から変更されていない設定画面及び該設定画面に遷移するために必要な画面から削除されるから、設定値の再確認や再設定が行われる可能性が低い第２画像を効果的に削除することができる。
【００２５】
前項（８）に記載の発明によれば、判定基準に従って第２画像の記憶が必要な画面でないと判定された場合は、第２画像の作成及び第２画像記憶手段への記憶は行われないから、表示必要性の乏しい画面の第２画像が記憶されることによる第２画像記憶手段の容量圧迫により、表示必要性の高い画面の第２画像が記憶手段から機械的に削除される機会を低減することができる。
【００２６】
前項（９）に記載の発明によれば、第２画像記憶手段への第２画像の記憶が必要な画面かどうかが画面に応じて予め規定された判定基準に従って、表示手段に表示される画面が第２画像記憶手段への第２画像の記憶が必要な画面かどうかを判定し、第２画像の記憶が必要な画面であると判定された場合に限って第２画像を作成し、第２画像記憶手段に記憶させる処理を、表示装置のコンピュータに実行させることができる。
【００２７】
前項（１０）に記載の発明によれば、表示必要性の乏しい画面の第２画像が記憶されることによる第２画像記憶手段の容量圧迫により、表示必要性の高い画面の第２画像が記憶手段から機械的に削除される機会を低減することができる画像処理装置となる。
【図面の簡単な説明】
【００２８】
【図１】この発明の一実施形態に係る表示装置を備えた画像処理装置の電気的な構成を示すブロック図である。
【図２】操作パネルの拡大図である。
【図３】第２画像の作成及び記憶を行う画面と、行わない画面とを予め設定したテーブルの一例を示す図である。
【図４】コピー機能における応用設定としての「とじしろ設定」と「小冊子設定」の画面ツリー構造を示す図である。
【図５】同じく、コピー機能における応用設定としての「とじしろ設定」と「小冊子設定」の画面ツリー構造を示す図である。
【図６】コピー機能における応用設定実施時の画面遷移を説明するための図である。
【図７】同じくコピー機能における応用設定実施時の画面遷移を説明するための図である。
【図８】同じくコピー機能における応用設定実施時の画面遷移を説明するための図である。
【図９】画像処理装置で実行される画面遷移時の動作を説明するためのフローチャートである。
【図１０】図９のフローチャートにおけるステップＳ０９のキャッシュ保存処理のサブルーチンを示すフローチャートである。
【発明を実施するための形態】
【００２９】
以下、この発明の実施形態を図面に基づいて説明する。
【００３０】
図１はこの発明の一実施形態に係る表示装置を備えた画像処理装置の電気的な構成を示すブロック図である。なお、表示装置は画像処理装置ではなく、他の装置に用いられても良い。この実施形態では、画像処理装置として、多機能デジタル画像形成装置である前述したＭＦＰが用いられている。以下、画像処理装置をＭＦＰともいう。
【００３１】
図１に示すように、ＭＦＰ１は、制御部１００、固定記憶装置１１０、画像読取装置１２０、操作パネル部１３０、画像出力装置１４０、プリンタコントローラ１５０及びネットワークインターフェイス（ネットワークＩ/Ｆ）１６０、画像処理部１７０を備え、互いにシステムバス１７５を介して接続されている。
【００３２】
制御部１００は、ＣＰＵ１０１、ＲＯＭ１０２、ＲＡＭ１０３を備えている。
【００３３】
ＣＰＵ１０１は、ＲＯＭ１０２等に保存されている動作プログラムを実行することにより、ＭＦＰ１の全体を統括的に制御する。例えばコピー機能、プリンタ機能、スキャン機能、ファクシミリ機能等を実行可能に制御するほか、特にこの実施形態では、操作パネル１３０の表示部１３４に表示される操作画面の表示に関する制御を行うが、詳細は後述する。
【００３４】
ＲＯＭ１０２はＣＰＵ１０１が実行するプログラムを格納するほか、基準解像度・基準画像記憶部１０２ａを備え、この基準解像度・基準画像記憶部１０２ａには基準解像度と、基準解像度に合わせて作成された各種の画面を構成する基準画像のデータが記憶されている。各画面は１個または複数個の表示パーツからなり、各表示パーツはこの基準解像度に合わせたサイズで作成されており、このサイズの各表示パーツにより基準画像が形成される。
【００３５】
ＲＡＭ１０３は、ＣＰＵ１０１がプログラムを実行する際の作業領域となるものであり、プログラムやプログラムを実行する際のデータ等を一時的に保存する。ＲＡＭ１０３はキャッシュメモリである第２画像記憶部（以下の説明ではキャッシュともいう）１０３ａを備え、このキャッシュ１０３ａには、基準画像を表示部１３４の実際の解像度に合わせて拡張または縮小処理した高画質の画像が記憶される。
【００３６】
固定記憶装置１１０は、ハードディスク等からなり、プログラムや各種データ等を保存する。
【００３７】
画像読取装置１２０はスキャナ等を備え、プラテンガラス上にセットされた原稿を走査することによって読み取り、読み取った原稿を画像データに変換する。
【００３８】
操作パネル部１３０は、ユーザがＭＦＰ１へジョブ等の指示や各種設定を行う際に用いられるものであり、図２に拡大図を示すように、テンキー１３１、スタートキー１３２、ストップキー１３３等の各種のハードキー、表示部１３４及びタッチパネル１３５等を備えている。
【００３９】
テンキー１３１は、種々の設定を行う際に使用されるものであり、スタートキー１３２はスキャン等の開始操作に使用されるものであり、ストップキー１３３は動作を中断する場合等に押下されるものである。
【００４０】
表示部１３４は、例えば液晶画面からなりメッセージや各種の操作画面等を表示するものである。表示部１３４の解像度（画面サイズ）はＭＦＰ１の機種等によって種々のサイズが設定されている。
【００４１】
タッチパネル１３５は表示部１３４の画面上に設けられ、ユーザーのタッチ操作を検出する。
【００４２】
画像出力装置１４０は、画像読取装置１２０で読み取られた原稿の画像データやプリントデータから生成された複写画像を用紙上に印字するものである。
【００４３】
プリンタコントローラ１５０は、ネットワークインターフェース１６０によって受信されたプリントデータから複写画像を生成するものである。
【００４４】
ネットワークインターフェース（ネットワークＩ/Ｆ）１６０は、端末装置等の外部装置との間で、データの送受信を行う通信手段として機能する。
【００４５】
画像処理部１７０は、表示部１３４の解像度が基準解像度と異なる場合に、表示部１３４の解像度に合わせて基準画像を拡張または縮小処理する。
【００４６】
次に、操作パネル部１３０の表示部１３４に表示される画面の表示に関して、図１に示したＭＦＰ１で実行される動作を説明する。
【００４７】
表示部１３４に表示される画面は、複数の表示パーツの組み合わせから構成されており、前述したように、表示パーツの種類や数は基準画像として画面毎にＲＯＭ１０２の基準解像度・基準画像記憶部１０２ａに記憶されている。表示パーツを構成する画像としては、ボタン画像、アイコン画像、背景画像、サムネイル画像、プレビュー画像のうちの少なくとも何れかが挙げられる。
【００４８】
ＭＦＰ１が起動されると、ＣＰＵ１０１はＲＯＭ１０２の基準解像度・基準画像記憶部１０２ａから基準解像度を取得すると共に、操作パネル部１３０から表示部１３４の解像度を取得する。そして、基準解像度と表示部１３４の解像度とを比較し、両者が一致しているかどうかを判断する。一致している場合は、基準解像度・基準画像記憶部１０２ａに記憶されている初期画面の基準画像を表示部１３４に表示する。解像度が一致していなければ、基準解像度・基準画像記憶部１０２ａに記憶されている基準画像を、画像処理部１７０を介して表示部１３４の解像度に合わせたサイズに拡張または縮小処理する。そして、拡張または縮小処理によって得られた画像を、表示部１３４に表示する。この拡張または縮小処理は、画面表示までの時間を短縮するため画質よりも速度を優先して高速で行われる。このため、拡張または縮小処理によって作成される画像（第１画像）は、低画質である。
【００４９】
これとは別に、ＣＰＵ１０１は画像処理部１７０を介して、基準画像を表示部１３４の解像度に合わせたサイズに拡張または縮小処理する。この処理は、速度よりも画質を優先するため、第１画像を作成する拡張または縮小処理よりも遅い速度で行われ、高画質の画像（第２画像）が作成される。
【００５０】
そして、第２画像の作成後、表示部１３４の表示画面が低画質の第１画像の画面から高画質の第２画像の画面に切り替えられるとともに、作成された第２画像のデータがＲＡＭ１０３のキャッシュ１０３ａに記憶される。
【００５１】
ユーザーが表示部１３４の画面を操作すると、次に遷移する画面について上記と同様にして、表示部１３４の解像度に合わせたサイズの第１画像が作成されて表示部１３４に表示され、高画質の第２画像が作成されると、第１画像に代えて第２画像が切り替え表示され、作成された第２画像がＲＡＭ１０３のキャッシュ１０３ａに記憶される。
【００５２】
画面が遷移する毎に表示対象画面について、第１画像の作成及び表示、第２画像の作成、表示切り替え、第２画像のキャッシュ１０３ａへの記憶が行われる。
【００５３】
遷移する表示対象画面が、既に第２画像が作成され第２画像記憶部１０３ａに記憶されている画面である場合は、第１画像の作成は行われず、キャッシュ１０３ａに記憶されている高画質の第２画像を用いて表示部１３４への表示が行われる。この場合は、ユーザー操作に応じて高画質の画面が直ちに表示される。
【００５４】
ただし、表示対象画面の全てについて第２画像の作成、キャッシュ１０３ａへの記憶が行われると、キャッシュ１０３ａが不足してしまう。
【００５５】
そこで、この実施形態では、第２画像の作成及び記憶を行う画面と、行わない画面とが予め規定されたテーブルをＲＯＭ１０２等へ備えており、このテーブルを判定基準として、表示対象画面が第２画像の作成及び記憶を行う画面であるかどうかをＣＰＵ１０１が判断し、第２画像の作成及び記憶を行う画面である場合にのみ、第２画像の作成及びキャッシュ１０３ａへの記憶を行い、第２画像の作成及び記憶を行わない画面については、第２画像の作成及びキャッシュ１０３ａへの記憶は行わないようになっている。
【００５６】
図３に判定基準となるテーブルの一例を示す。図３の例では、警告画面、サムネイル画面及びプレビュー画面が、第２画像の作成及び記憶を行わないキャッシュ非対象画面として規定されており、これら以外の画面、例えばコピー機能、スキャン機能等の各機能を設定するための機能トップ画面、設定値の設定画面、ジョブ実行中画面等については第２画像の作成及び記憶を行うキャッシュ対象画面として規定されている。警告画面はユーザーが誤った操作を行おうとしているとき等に表示される警告を表示する画面であり、サムネイル画面はサムネイル画像を含む画面であり、プレビュー画面はプレビュー画像を含む画面である。
【００５７】
警告画面は、どの画面からでも表示される可能性があるが、表示されることは稀であるため、この画面の第２画像を作成して記憶させておく必要性に乏しい。また、印刷前に原稿を読み込んで仕上がり状態を確認するプレビュー画面や、保存されているスキャン画像のイメージを確認するサムネイル画面は、画面の表示解像度の制約上、印刷後と全く同じイメージにはならないため、高解像度画像で表示する必要性は高くなく、これらの画面の第２画像を記憶させておく必要性に乏しい。
【００５８】
そこで、これらの画面については、第２画像の作成及び記憶を行わない画面として予め規定することにより、キャッシュ１０３ａの記憶容量の不本意な圧迫を防止し、容量不足により真に必要とされる画面の第２画像が削除される不都合を防止できる。
【００５９】
次に、ユーザー操作により表示部１３４に表示される画面が遷移していくときのＭＦＰ１の動作を、コピー機能における応用設定実施時の画面遷移を例にして説明する。
【００６０】
コピー機能における応用設定としての「とじしろ設定」と「小冊子設定」の画面ツリー構造を図４及び図５に示す。
【００６１】
とじしろの設定を行う場合は、図４の応用設定画面１−１から、とじしろ設定画面２−１へと遷移させ、さらにとじしろ設定原稿セット方向設定画面３−１へと遷移させ、このとじしろ設定原稿セット方向設定画面３−１で設定を変更する。
【００６２】
小冊子の用紙設定を行う場合は、図４の応用設定画面１−１から、小冊子設定画面２−２へと遷移させ、さらに小冊子用紙設定画面３−２へと遷移させ、この小冊子用紙設定画面３−２で設定を変更する。
【００６３】
小冊子の原稿サイズ設定を行う場合は、図４の応用設定画面１−１から、図５の小冊子設定画面２−２へと遷移させ、さらに小冊子原稿サイズ設定画面３−３へと遷移させ、この小冊子原稿サイズ設定画面３−３で設定を変更する。
【００６４】
小冊子のカバーシート用紙設定を行う場合は、図４の応用設定画面１−１から、図５の小冊子設定画面２−２へと遷移させ、さらに小冊子カバーシート設定画面３−４へと遷移させ、さらに小冊子カバーシート用紙設定画面４−１に遷移させ、この小冊子カバーシート用紙設定画面４−１で設定を変更する。
【００６５】
この実施形態では、画面遷移時に各画面の画像をキャッシュ１０３ａに記憶していくのと同時に、記憶される画面に関する画面情報（キャッシュ画面情報ともいう）として、「対象画面」、「その画面で設定変更が行われたかどうか」、「現在表示中の画面を表示する為に遷移してきた画面かどうか若しくは設定変更を行った画面を表示する為に遷移する画面かどうか」の情報を追加、更新しつつ登録していく。
【００６６】
「現在表示中の画面を表示する為に遷移してきた画面」とは、例えば小冊子原稿サイズ設定画面３−３が表示されているときは、この小冊子原稿サイズ設定画面３−３を表示するために必ず遷移する応用設定画面１−１及び小冊子設定画面２−２をいう。また、「設定変更を行った画面を表示する為に遷移する画面」とは、例えば小冊子カバーシート用紙設定画面４−１でデフォルト値からの設定変更が行われた場合に、この小冊子カバーシート用紙設定画面４−１を表示する為に必ず遷移する応用設定画面１−１、小冊子設定画面２−２及び小冊子カバーシート設定画面３−４をいう。
【００６７】
ここで、図４の応用設定画面１−１から、とじしろ設定画面２−１へと遷移させ、さらにとじしろ設定原稿セット方向設定画面３−１へと遷移させ、とじしろ設定原稿セット方向設定画面３−１でデフォルトの設定を変更する場合を考えると、まず図６（Ａ）に示すように、応用設定画面１−１に遷移するときに、応用設定画面について低画質の第１画像が作成されて表示される一方、高画質の第２画像が作成され低画質の画面から切り替えて表示され、さらに作成された第２画像がキャッシュ１０３ａに記憶される。
【００６８】
同時に、図６（Ａ）のキャッシュ画面情報テーブル２１に示すように、キャッシュ画面番号１の欄の対象画面を示す「画面」の情報項目に「応用設定画面」が、その画面で設定変更が行われたかどうかを示す「設定有無」の情報項目に、その画面での設定変更は行われていないことを示す「無」が、それぞれ追加される。さらに、「現在表示中の画面を表示する為に遷移してきた画面かどうか若しくは設定変更を行った画面を表示する為に遷移する画面かどうか」を示す「遷移画面」の情報項目に、該当する画面であることを示す「Ｙｅｓ」が追加される。この「遷移画面」の情報項目は後で表示される画面に応じて変更される。
【００６９】
次に、図６（Ｂ）に示すようにとじしろ設定画面２−１へと遷移すると、とじしろ設定画面について高画質の第２画像が作成され低画質の画面に切り替えて表示されると共に、作成された第２画像がキャッシュ１０３ａに記憶される。
【００７０】
同時に、図６（Ｂ）のキャッシュ画面情報テーブル２２に示すように、キャッシュ画面番号２の欄の「画面」の情報項目に「とじしろ設定画面」が、「設定有無」の情報項目に「無」が、「遷移画面」の情報項目に「Ｙｅｓ」が追加される。キャッシュ画面番号１の「応用設定画面」は、現在表示中の「とじしろ設定画面」を表示する為に遷移してきた画面であるから、「Ｙｅｓ」のままとなっている。
【００７１】
次に、図６（Ｃ）に示すようにとじしろ設定原稿セット方向設定画面３−１へと遷移すると、とじしろ設定原稿セット方向設定画面についての高画質の第２画像が作成され低画質の画面に切り替えて表示されると共に、作成された第２画像がキャッシュ１０３ａに記憶される。
【００７２】
同時に、図６（Ｃ）のキャッシュ画面情報テーブル２３に示すように、キャッシュ画面番号３の欄の「画面」の情報項目に「とじしろ設定原稿セット方向設定画面」が、「設定有無」の情報項目に「無」が、「遷移画面」の情報項目に「Ｙｅｓ」が追加される。キャッシュ画面番号２の「とじしろ設定画面」は、現在表示中のとじしろ設定原稿セット方向設定画面を表示する為に遷移してきた画面であるから、「Ｙｅｓ」のままとなっている。
【００７３】
次に、図６（Ｄ）に示すように、とじしろ設定原稿セット方向設定画面３−１において、ユーザーがデフォルト値からの設定変更を行うと、同図のキャッシュ画面情報テーブル２４に示すように、キャッシュ画面番号３の「とじしろ設定原稿セット方向設定画面」における「設定有無」の情報項目が「無」から「有」に変更されて更新される。
【００７４】
その後、小冊子設定を行うために、とじしろ設定原稿セット方向設定画面３−１からとじしろ設定画面２−１を経由して、図７（Ａ）の応用設定画面１−１へと戻ると、これらの画面の第２の画像は既に記憶されているので再度記憶されることはなく、記憶されている第２の画像を用いて、とじしろ設定画面２−１、応用設定画面１−１がそれぞれ表示される。また、キャッシュ画面情報テーブル２５に示すように、キャッシュ画面番号１〜３の順番が、番号１：とじしろ設定原稿セット方向設定画面、番号２：とじしろ設定画面、番号３：応用設定画面に入れ替わる。なお、キャッシュ画面番号１〜３の順番を入れ替えなくても良い。
【００７５】
その後、図７（Ｂ）に示すように小冊子設定画面２−２へと遷移させると、小冊子設定画面についての高画質の第２画像が作成され低画質の画面に切り替えて表示されると共に、作成された第２画像がキャッシュ１０３ａに記憶される。
【００７６】
同時に、図７（Ｂ）のキャッシュ画面情報テーブル２６に示すように、キャッシュ画面番号４の欄の「画面」の情報項目に「小冊子設定画面」が、「設定有無」の情報項目に「無」が、「遷移画面」の情報項目に「Ｙｅｓ」が追加される。
【００７７】
さらに、図７（Ｃ）に示すように小冊子用紙設定画面３−２へと遷移させると、小冊子用紙設定画面についての高画質の第２画像が作成され低画質の画面に切り替えて表示されると共に、作成された第２画像がキャッシュ１０３ａに記憶される。
【００７８】
同時に、図７（Ｃ）のキャッシュ画面情報テーブル２７に示すように、キャッシュ画面番号５の欄における「画面」の情報項目に「小冊子用紙設定画面」が、「設定有無」の情報項目に「無」が、「遷移画面」の情報項目に「Ｙｅｓ」が追加される。
【００７９】
この小冊子用紙設定画面３−２において設定を変更することなく、小冊子設定画面２−２を経由して、図７（Ｄ）に示すように小冊子原稿サイズ設定画面３−３に遷移させると、小冊子原稿サイズ設定画面についての高画質の第２画像が作成され、低画質の画面に切り替えて表示されると共に、キャッシュ１０３ａに記憶される。
【００８０】
同時に、図７（Ｄ）のキャッシュ画面情報テーブル２８に示すように、キャッシュ画面番号６の欄の「画面」の情報項目に「小冊子原稿サイズ設定画面」が、「設定有無」の情報項目に「無」が、「遷移画面」の情報項目に「Ｙｅｓ」が追加される。
【００８１】
さらに、小冊子原稿サイズ設定画面３−３において設定を変更することなく、小冊子設定画面２−２を経由して、図８（Ａ）に示すように小冊子カバーシート設定画面３−４に遷移させると、小冊子カバーシート設定画面についての高画質の第２画像が作成され、低画質の画面に切り替えて表示される。
【００８２】
また、図８（Ａ）のキャッシュ画面情報テーブル２９に示すように、キャッシュ画面番号５の「小冊子用紙設定画面」及び番号６の「小冊子原稿サイズ設定画面」における「遷移画面」の情報項目が、いずれも「Ｙｅｓ」から「ＮＯ」に変更される。これは、小冊子用紙設定画面３−２及び小冊子原稿サイズ設定画面３−３は、現在表示中の画面である小冊子カバーシート設定画面３−４を表示する為に遷移してきた画面ではなく、設定変更を行った画面を表示する為に遷移する画面にも該当しないからである。
【００８３】
ここで、キャッシュ１０３ａに記憶可能な画面枚数が６枚であるとすると、６枚分の第２画面が既に記憶されているため、小冊子カバーシート設定画面についての第２画像をキャッシュ１０３ａに記憶させることができない。
【００８４】
そこで、この実施形態では、設定変更が行われておらず、現在表示中の画面を表示する為に遷移してきた画面でもなく、設定変更を行った画面を表示する為に遷移する画面でもない画面の画像を優先的に削除する。具体的には、図８（Ａ）のキャッシュ画面情報テーブル２９において、「設定有無」の情報項目が「無」で、かつ「遷移画面」の情報項目が「Ｎｏ」であるキャッシュ画面番号５の「小冊子用紙設定画面」または番号６の「小冊子原稿サイズ設定画面」のいずれかの画像をキャッシュ１０３ａから削除するとともに、その画面情報をキャッシュ画面情報テーブル２９から削除する。
【００８５】
この実施形態では、キャッシュ画面番号の小さい「小冊子用紙設定画面」の画像を削除している。そして、「小冊子カバーシート設定画面」についての第２画像をキャッシュ１０３ａに記憶し、キャッシュ画面番号６の「小冊子原稿サイズ設定画面」についての画面情報を、キャッシュ画面情報テーブル３０に示すように、キャッシュ画面番号５の欄に繰り上げ、キャッシュ画面番号６の欄に「小冊子カバーシート設定画面」についての画面情報を追加する。
【００８６】
次に、図８（Ａ）に示す小冊子カバーシート設定画面３−４から図８（Ｃ）の小冊子カバーシート用紙設定画面４−１に遷移させたとする。この場合も、キャッシュ１０３ａには既に上限値の６枚分の第２画像が記憶されているため、小冊子カバーシート用紙設定画面についての第２画像をキャッシュ１０３ａに記憶させることができない。
【００８７】
このため、図８（Ｃ）のキャッシュ画面情報テーブル３１を参照して、「設定有無」の情報項目が「無」で、かつ「遷移画面」の情報項目が「Ｎｏ」であるキャッシュ画面番号５の「小冊子原稿サイズ設定画面」の画像をキャッシュ１０３ａから削除するとともに、そのキャッシュ画面情報をキャッシュ画面情報テーブル３１から削除する。そして、「小冊子カバーシート用紙設定画面」についての第２画像をキャッシュ１０３ａに記憶し、キャッシュ画面番号６の「小冊子カバーシート設定画面」についての画面情報を、図８（Ｄ）のキャッシュ画面情報テーブル３２に示すようにキャッシュ画面番号５の欄に詰め、キャッシュ画面番号６の欄に「小冊子カバーシート用紙設定画面」についての画面情報を追加する。
【００８８】
このように、この実施形態では、キャッシュ１０３ａに記憶した画面の画像が、記憶可能な枚数に達したときは、キャッシュ画面情報テーブルを参照して、設定変更が行われておらず、現在表示中の画面を表示する為に遷移してきた画面でもなく、設定変更を行った画面を表示する為に遷移する画面でもない画面の画像を優先的に削除したうえで、表示されている画面の第２画像を記憶するから、設定値の再確認や再設定が行われる可能性が低い画面である、設定変更を行っていない設定画面及び該設定画面に遷移するために必要な画面についての第２画像を、優先的に削除することができ、表示される可能性の高い画面についての第２画像が削除されるのを可及的に回避できる。
【００８９】
図９は、ＭＦＰ１で実行される画面遷移時の動作を説明するためのフローチャートである。この動作はＭＦＰ１のＣＰＵ１０１がＲＯＭ１０２等に格納された動作プログラムに従って動作することにより実行される。
【００９０】
ステップＳ０１では、ユーザー操作に基づき画面遷移かどうかを判断する。画面遷移の場合は（ステップＳ０１でＹＥＳ）、ステップＳ０２で、キャッシュ１０３ａに遷移先の画面についての第２画像が記憶されているかどうかを調べる。記憶されていなければ（ステップＳ０２でＮＯ）、ステップＳ０３で、基準画像を表示部１３４の解像度に合わせたサイズに速度優先にて拡張または縮小処理して第１画像を作成する。
【００９１】
次いで、ステップＳ０４で、作成した第１画像を表示部１３４に表示したのち、ステップＳ０５で、図３のテーブルを参照して、当該画面が第２画像の作成及び記憶を行わない画面として規定されている画面かどうか、換言すればサムネイル画像を含むサムネイル画面または、プレビュー画像を含むプレビュー画面または、警告画面かどうかを判定する。
【００９２】
サムネイル画面、プレビュー画面、警告画面のうちのいずれかであれば（ステップＳ０５でＹＥＳ）、第２画像を作成することなくステップＳ０１に戻る。
【００９３】
サムネイル画面、プレビュー画面、警告画面のいずれでもなければ（ステップＳ０５でＮＯ）、ステップＳ０６で、基準画像を表示部１３４の解像度に合わせたサイズに画質優先にて拡張または縮小処理して高画質の第２画像を作成したのち、ステップＳ０７で、第１画像に代えて第２画像を表示部１３４に表示する。
【００９４】
次いでステップＳ０８で、キャッシュ画面情報テーブルにおいて、「現在表示中の画面を表示する為に遷移してきた画面か若しくは設定変更を行った画面を表示する為に遷移する画面」に該当しなくなった画面についての「遷移画面」の情報項目を「Ｙｅｓ」から「Ｎｏ」に変更したのち、ステップＳ０９で、作成した第２画像をキャッシュ１０３ａに記憶するためのキャッシュ保存処理を実行する。このキャッシュ保存処理については後述する。
【００９５】
ステップＳ０２で、キャッシュ１０３ａに遷移先の画面の第２画像が記憶されている場合は（ステップＳ０２でＹＥＳ）、ステップＳ１０に進み、記憶されている第２画像（キャッシュ画像）を表示部１３４に表示したのち、ステップＳ１１で、キャッシュ画面情報を更新する。具体的には、当該画面を表示するまでの表示順の並びになるようにキャッシュ画面情報を並び替えるとともに、「現在表示中の画面を表示する為に遷移してきた画面か若しくは設定変更を行った画面を表示する為に遷移する画面」に該当しなくなった画面についての「遷移画面」の情報項目を「Ｙｅｓ」から「Ｎｏ」に変更する。キャッシュ画面情報の更新後、ステップＳ０１に戻る。
【００９６】
ステップＳ０１で、画面遷移でなければ（ステップＳ０１でＮＯ）、ステップＳ１２で、設定変更がなされたかどうかを判断する。設定変更がなされていなければ（ステップＳ１２でＮＯ）、ステップＳ０１に戻る。設定変更がなされている場合（ステップＳ１２でＹＥＳ）、ステップＳ１３で、キャッシュ画面情報テーブルにおける当該画面の「設定有無」の情報項目を「有」に更新した後、ステップＳ１４に進む。
【００９７】
ステップＳ１４では、当該設定画面を表示するために遷移される画面についての「遷移画面」の情報項目が「Ｎｏ」であれば「Ｙｅｓ」に変更して、キャッシュ画面情報を更新する。「Ｙｅｓ」の場合には何もしない。キャッシュ画面情報の更新後、ステップＳ０１に戻る。
【００９８】
図１０は、図９のフローチャートにおけるステップＳ０９のキャッシュ保存処理のサブルーチンを示すフローチャートである。
【００９９】
ステップＳ０９１では、キャッシュ１０３ａに空きがあるかどうかを判断する。空きがなければ（ステップＳ０９１でＮＯ）、ステップＳ０９２で、キャッシュ画面情報テーブルにおけるキャッシュ画面番号の小さいものから、「遷移画面」の情報項目が「Ｎｏ」かどうかを確認する。
【０１００】
次いで、ステップＳ０９３で、「遷移画面」の情報項目が「Ｎｏ」であるキャッシュ画面情報の有無を判定し、なければ（ステップＳ０９３でＮＯ）、ステップＳ０９４で、キャッシュ画面番号が一番小さい画面、つまり当該保存対象の画面から階層的に最も遠い画面の第２画像を削除して、当該保存対象の画面についての第２画像を保存したのち、ステップＳ０９６に進む。「遷移画面」の情報項目が「Ｎｏ」のキャッシュ画面情報があれば（ステップＳ０９３でＹＥＳ）、ステップＳ０９５で、「Ｎｏ」のキャッシュ画面情報の画面についての第２画像を削除して、現在表示されている画面の第２画像を保存したのち、ステップＳ０９６に進む。「遷移画面」の情報項目が「Ｎｏ」のキャッシュ画面情報が複数存在する場合は、キャッシュ画面番号の小さいものから削除する。
【０１０１】
ステップＳ０９６では、キャッシュ画面情報を更新する。具体的には、削除したキャッシュ画面情報が登録されていたキャッシュ画面番号の欄に、それよりも番号の大きいキャッシュ画面情報を詰め、最も大きいキャッシュ画面番号の欄に、当該保存対象の画面のキャッシュ画面情報を登録する。キャッシュ画面情報の更新により本サブルーチンを終了し、図９のステップＳ０１に戻る。
【０１０２】
ステップＳ０９１で、キャッシュ１０３ａに空きがある場合は（ステップＳ０９１でＹＥＳ）、ステップＳ０９７で、キャッシュ１０３ａに当該保存対象の画面についての第２画像を保存した後、ステップＳ０９８でキャッシュ画面情報を更新する。具体的には、空いているキャッシュ画面番号の中の一番小さい番号の欄に、キャッシュ画面情報を登録する。キャッシュ画面情報の更新により本サブルーチンを終了し、図９のステップＳ０１に戻る。
【０１０３】
以上、本発明の一実施形態を説明したが、本発明は上記実施形態に限定されることはない。
【０１０４】
例えば、速度を優先して作成した第１画像が表示部１３４に表示されたときに、表示された画面についての画質を優先した第２画像を作成したが、第１画像が表示されたときに、次に遷移可能な画面についての第２画像を表示しておき、当該画面に実際に遷移したときに、既に作成された第２画像を用いて画面を表示する構成としても良い。これによって、次の画面に遷移したときに、第１画像が作成されることなく短時間で高画質の画面を表示することができる。
【符号の説明】
【０１０５】
１        画像処理装置
１００    制御部
１０１    ＣＰＵ
１０２    ＲＯＭ
１０２ａ  基準解像度・基準画像記憶部
１０３    ＲＡＭ
１０３ａ  第２画像記憶部
１３０    操作パネル
１３４    表示部
１７０    画像処理部
【図１】
0006620614.tif 000002
【図２】
0006620614.tif 000003
【図３】
0006620614.tif 000004
【図４】
0006620614.tif 000005
【図５】
0006620614.tif 000006
【図６】
0006620614.tif 000007
【図７】
0006620614.tif 000008
【図８】
0006620614.tif 000009
【図９】
0006620614.tif 000010
【図１０】
0006620614.tif 000011